(57)【要約】【課題】鋼製野縁と木製の吊り木の連結作業を簡単に行うと共に天井の施工作業を効率良く行うことができ、制作容易な鋼製支持板を用いて実現する。【解決手段】天井材４が取り付けられる鋼製野縁２と、天井梁に固定された吊り木６と、その吊り木に固定されて鋼製野縁を吊り下げ支持する鋼製支持板８とを含む鋼製天井野縁の吊り構造である。鋼製野縁２は、リップ片２ａ、２ｂ間の開口部が上方を向くように配置されたリップ溝型鋼で形成され、鋼製支持板８は、吊り木６に固定される第１支持板１２と、その第１支持板１２に上部が連結されると共に下部が鋼製野縁２の溝内に位置して鋼製野縁の長手方向にのみ移動可能な第２支持板１０とを備えている。【選択図】　　　図１
2004068519.tif 000002
【特許請求の範囲】
【請求項１】
天井材が取り付けられる鋼製野縁と、天井梁に固定された吊り木と、その吊り木に固定されて前記鋼製野縁を吊り下げ支持する鋼製支持板とを含む鋼製天井野縁の吊り構造であって、前記鋼製野縁は、リップ片間の開口部が上方を向くように配置されたリップ溝型鋼で形成され、前記鋼製支持板は、前記吊り木に固定される第１支持板と、その第１支持板に上部が連結されると共に下部が前記鋼製野縁の溝内に位置して鋼製野縁の長手方向にのみ移動可能な第２支持板とを備えていることを特徴とする、鋼製天井野縁の吊り構造。
【請求項２】
請求項１記載の鋼製天井野縁の吊り構造において、前記第１支持板は、前記吊り木に対してねじ部材で固定される固定板部と、前記鋼製野縁の上部に当接する押圧板部と、その押圧板部と前記固定板部との間に設けられ、前記第２支持板の一部が挿入されて掛止めされる挿入口とを備えていることを特徴とする、鋼製天井野縁の吊り構造。
【請求項３】
請求項１又は２記載の鋼製天井野縁の吊り構造において、前記第２支持板は、前記鋼製野縁の溝内の断面形状と略同一の形状を有し、その鋼製野縁の長手方向に移動自在な係合板部と、その係合板部から前記鋼製野縁の開口部を通過して上方に延び、前記挿入口から挿入可能に逆Ｌ形状に屈曲形成されたクリップ部を有する連結板部とを備えていることを特徴とする、鋼製天井野縁の吊り構造。
【請求項４】
請求項１又は２記載の鋼製天井野縁の吊り構造において、前記第１支持板は前記挿入口に沿って形成されたクリップ支持部を有し、第２支持板のクリップ部を、前記クリップ支持部に弾性変形させながら上部から嵌合することで、前記第１支持板の押圧板部及び前記第２支持板の係合板部が前記鋼製野縁のリップ部を上下から挟み込んで前記第２支持板の前記鋼製野縁の長手方向への移動を拘束していることを特徴とする請求項２又は３記載の鋼製天井野縁の吊り構造。
【請求項５】
請求項２〜４の何れかに記載の鋼製天井野縁の吊り構造において、前記第２支持板の前記連結板部の一部を切り欠いて中爪を形成し、その中爪に対向する前記第１支持板の所定位置に係合孔を形成し、前記中爪を前記係合孔内部を通過するように折り曲げて、その折り曲げ先端部を、前記押圧板部に当接させることを特徴とする鋼製天井野縁の吊り構造。
【発明の詳細な説明】
【０００１】
【発明の属する技術分野】
この発明は、天井材を取り付ける鋼製野縁を吊り下げ支持する技術として好適な鋼製天井野縁の吊り構造に関する。
【０００２】
【背景の技術】
天井の吊り構造として、下部に天井材を取り付けた鋼製野縁を、天井梁から垂下した木製の吊り木に連結することで天井材を吊り上げ支持する構造が知られている。
【０００３】
このように、天井の吊り構造に鋼製野縁を使用することで、それらの部材のスパンが長くても撓まず、十分に吊り木に支持された状態で天井材が撓んだり、天井材の下面が下がることがない。
【０００４】
【発明が解決しようとする課題】
ところで、野縁が吊り木と同様の木製部材であれば、釘打ち等の締結手段で野縁及び吊り木の両者を連結し、簡単に天井の施工を行うことができるが、上述したように鋼製野縁を使用すると、木製の吊り木に対して鋼製野縁を簡単に連結することが難しい。
【０００５】
よって、本発明の課題は、鋼製野縁と木製の吊り木の連結作業を簡単に行うことができて天井の施工作業を効率良く行うことができ、しかも制作容易な金属部材を用いて実現できる鋼製天井野縁の吊り構造を提供することにある。
【０００６】
【課題を解決するための手段】
上記課題を解決するために、この発明は、天井材が取り付けられる鋼製野縁と、天井梁に固定された吊り木と、その吊り木に固定されて前記鋼製野縁を吊り下げ支持する鋼製支持板とを含む鋼製天井野縁の吊り構造であって、前記鋼製野縁は、リップ片間の開口部が上方を向くように配置されたリップ溝型鋼で形成され、前記鋼製支持板は、前記吊り木に固定される第１支持板と、その第１支持板に上部が連結されると共に下部が前記鋼製野縁の溝内に位置して鋼製野縁の長手方向にのみ移動可能な第２支持板とを備えている。
【０００７】
この発明によれば、鋼製野縁の溝内に係合して第２支持板を移動させることで、吊り木に対する鋼製支持板の配置位置を自由に調整することができる。また、鋼製野縁にリップ溝型鋼を用い、第２支持板の下部を鋼製野縁の溝内に位置させる構造とすることで鋼製支持板の単純化を図ることができる。
【０００８】
また、前記第１支持板は、前記吊り木に対してねじ部材で固定される固定板部と、前記鋼製野縁の上部に当接する押圧板部と、その押圧板部と前記固定板部との間に設けられ、前記第２支持板の一部が挿入されて掛止めされる挿入口とを備える構成とすることができる。他方の第２支持板は、前記鋼製野縁の溝内の断面形状と略同一の形状を有し、その鋼製野縁の長手方向に移動自在な係合板部と、その係合板部から前記鋼製野縁の開口部を通過して上方に延び、前記挿入口から挿入可能に逆Ｌ形状に屈曲形成されたクリップ部を有する連結板部とを備える構成とすることができる。
【０００９】
そして、前記第１支持板は前記挿入口に沿って形成されたクリップ支持部を有し、第２支持板のクリップ部を、前記クリップ支持部に弾性変形させながら上部から嵌合することで、前記第１支持板の押圧板部及び前記第２支持板の係合板部が前記鋼製野縁のリップ部を上下から挟み込んで前記第２支持板の前記鋼製野縁の長手方向への移動を拘束することが好ましい。
【００１０】
このようにすると、第２支持板が鋼製野縁の溝内に係合して移動し、位置決めが完了したときに、第２支持板を第１支持板に連結することで前記鋼製野縁の長手方向への移動が拘束されるので、鋼製支持板の位置決めが簡単になる。
【００１１】
また、第２支持板のクリップ部を弾性変形し、第１支持板のクリップ支持部に上部から嵌合して第２及び第１支持板を一体に連結するだけで、押圧板部及び係合板部がリップ部を挟み込んで鋼製支持板が鋼製野縁の長手方向へ移動するのを拘束するので、鋼製野縁に対する鋼製支持板の固定作業を簡単に行うことができる。
【００１２】
また、前記第２支持板の前記連結板部の一部を切り欠いて中爪を形成し、この中爪に対向する前記第１支持板の所定位置に係合孔を形成し、前記中爪を前記係合孔内部を通過するように折り曲げて、その折り曲げ先端部を、第１支持板の前記押圧板部に当接させるようにしてもよい。
【００１３】
このようにすると、鋼製野縁のリップ部を上方から押圧している押圧板部の力を確実に保持することができる。
【００１４】
【発明の実施の形態】
以下、図１及び図２を参照して本発明の実施の形態に係る鋼製天井の吊り構造について説明する。
【００１５】
図１の符号２は、下部に天井材としての石膏ボード４を取り付けた鋼製野縁である。鋼製野縁２は、天井梁（図示せず）から垂下した木製の吊り木６に鋼製支持板８を介して吊り下げ支持されている。
【００１６】
鋼製野縁２は、リップ片２ａ、２ｂの間の開口部が水平方向を向いているリップみぞ形鋼により構成されている。鋼製支持板８は、第２支持板１０と、第１支持板１２とで構成されている。
【００１７】
第２支持板１０は板状部材であり、鋼製野縁２の溝２ｃ内の横断面形状と略同一の形状を有して溝２ｃ内を摺動自在な係合板部１０ａと、この係合板部１０ａから鋼製野縁２の開口部を通過して上方に延び、最上部に弾性変形自在な逆Ｌ字形状のクリップ部１０ｂを形成している連結板部１０ｃとを備えている。
【００１８】
また、第１支持板１２は、鋼製野縁２のリップ部２ａ、２ｂの上面に当接する押圧板部１２ａと、この押圧板部１２ａの上部で開口してクリップ部１０ｂが内部を通過する挿入口１２ｂと、この挿入口１２ｂの下縁から水平に突出しているクリップ支持部１２ｃと、複数のねじ孔１２ｅとを備えている。
【００１９】
そして、第２支持板１０のクリップ部１０ｂを弾性変形し、第１支持板１２のクリップ支持部１２ｃに上部から嵌合して第２及び第１支持板１０、１２を一体に連結すると、第１支持板１２の押圧板部１２ａが鋼製野縁２のリップ部２ａ、２ｂを上方から押圧し、第２支持板１０の係合板部１０ｂがリップ部２ａ、２ｂを下方から押圧し、これら押圧板部１２ａ及び係合板部１０ｂがリップ部２ａ、２ｂを挟み込むことで、鋼製支持板８が鋼製野縁２の長手方向へ移動するのを拘束する。
【００２０】
ここで、第２支持板１０の連結板部１０ｃの一部を切り欠いて中爪１０ｄが形成されている。また、第１支持板１２の中爪１０ｄに対応する位置に、係合孔１２ｄが形成されている。
【００２１】
また、第２及び第１支持板１０、１２を一体に連結した後に、図２に示すように、釘等の細長部材１４を使用して中爪１０ｄが係合孔１２ｄ内部を通過するように折り曲げて、その中爪１０ｄの折り曲げ先端部を、第１支持板１２の押圧板部１２ａに当接している。
【００２２】
そして、第２の鋼製支持板１２のねじ孔１２ｅを通過したビス１６を吊り木６に留めることで、鋼製支持板８を吊り木６に連結する。
【００２３】
このような鋼製天井の吊り構造によると、鋼製野縁３が延在する方向（長手方向）の水平方向に鋼製支持板８を移動させることで、吊り木６に対する鋼製支持板８の配置位置を自由に調整することができる。これにより、鋼製支持板８の位置決めが簡単になるとともに、吊り木６に対する鋼製野縁２の固定作業も簡単に行うことができる。したがって、天井の施工作業を効率良く行うことができる。
【００２４】
また、簡単な構造の第２支持板１０と第１支持板１２とで鋼製支持板８を構成しているので、コストの低減化を図ることができる。
【００２５】
また、第２支持板１０のクリップ部１０ｂを弾性変形し、第１支持板１２のクリップ支持部１２ｃに上部から嵌合して第２及び第１支持板１０、１２を一体に連結するだけで、押圧板部１２ａ及び係合板部１０ｂがリップ部２ａ、２ｂを挟み込んで鋼製支持板８が鋼製野縁２の長手方向へ移動するのを拘束するので、鋼製野縁２に対する鋼製支持板８の固定作業を簡単に行うことができる。
【００２６】
さらに、第２及び第１支持板１０、１２を一体に連結した後に、中爪１０ｄを係合孔１２ｄ内部を通過するように折り曲げて、その中爪１０ｄの折り曲げ先端部が第１支持板１２の押圧板部１２ａに当接しているので、鋼製野縁２のリップ部２ａ、２ｂを上方から押圧する押圧板部１２ａの力を確実に保持することができる。
【００２７】
【発明の効果】
以上説明したように、本発明によれば、鋼製野縁と木製の吊り木の連結作業を簡単に行うことができて天井の施工作業を効率良く行うことができ、しかも制作容易な鋼製支持板を用いて実現できる鋼製天井野縁の吊り構造を提供することができる。
【図面の簡単な説明】
【図１】本発明に係る鋼製天井野縁の吊り構造を示す斜視図である。
【図２】鋼製支持板を構成している第２及び第１支持板を側面から示した図である。
【符号の説明】
２　　　　　鋼製野縁
２ａ、２ｂ　リップ片
２ｃ　　　　溝
４　　　　　石膏ボード（天井材）
６　　　　　木製の吊り木
８　　　　　鋼製支持板
１０　　　　第２支持板
１０ａ　　　係合板部
１０ｂ　　　クリップ部
１０ｃ　　　連結板部
１０ｄ　　　中爪
１２　　　　第１支持板
１２ａ　　　押圧板部
１２ｂ　　　開口部
１２ｃ　　　クリップ支持部
１２ｄ　　　係合孔
１２ｅ　　　複数のねじ孔
【図１】
2004068519.tif 000003
【図２】
2004068519.tif 000004